(57)【要約】【課題】  色覚障害者であっても使い易い電動工具等を提供することを目的とする。【解決手段】  本発明に係る表示器は、電動工具（ディスクグラインダ）１０に使用される表示器２０であって、色覚障害者が視認可能な波長の光を発生させるＬＥＤを備えている。【選択図】図１
2013226624.tif 000002
【特許請求の範囲】
【請求項１】
電動工具又は工具用バッテリ又は充電器に使用される表示器であって、
色覚障害者が視認可能な波長の光を発生させるＬＥＤを備えていることを特徴とする表示器。
【請求項２】
請求項１に記載された表示器であって、
前記ＬＥＤによって前記電動工具の通電状態を報知できるように構成されていることを特徴とする表示器。
【請求項３】
請求項１に記載された表示器であって、
前記ＬＥＤによって前記工具用バッテリの残容量が所定量よりも低下したことを報知できるように構成されていることを特徴とする表示器。
【請求項４】
請求項１に記載された表示器であって、
前記電動工具の起動スイッチがオンのままで、電源プラグがコンセントから抜かれ、再び、前記電源プラグがコンセントに差し込まれたことによる再起動禁止状態であることを、前記ＬＥＤによって報知できるように構成されていることを特徴とする表示器。
【請求項５】
請求項１に記載された表示器であって、
前記ＬＥＤによって前記電動工具の過負荷状態を報知できるように構成されていることを特徴とする表示器。
【請求項６】
請求項１に記載された表示器であって、
前記ＬＥＤによって前記電動工具のカーボンブラシの交換タイミングであることを報知できるように構成されていることを特徴とする表示器。
【請求項７】
請求項１から請求項６に記載された表示器であって、
二個以上の前記ＬＥＤを備えることを特徴とする表示器。
【発明の詳細な説明】
【技術分野】
【０００１】
本発明は、電動工具又は工具用バッテリ又は充電器に使用される表示器に関する。
【背景技術】
【０００２】
電動工具の表示器の一例が特許文献１に記載されている。
この表示器は、インパクトレンチの動作条件等を表示する表示器であり、制御基板に取付けられた二個の赤色ＬＥＤと緑色ＬＥＤとから構成されている。そして、インパクトレンチに内蔵されたマイコンが赤色ＬＥＤと緑色ＬＥＤとを所定回数だけ点滅させることにより、インパクトレンチの動作条件等を表示できるように構成されている。
【先行技術文献】
【特許文献】
【０００３】
【特許文献１】特開２００１−３５３６７２号公報
【発明の概要】
【発明が解決しようとする課題】
【０００４】
しかし、例えば、インパクトレンチの使用者が色覚障害者の場合、赤色ＬＥＤと緑色ＬＥＤとの点滅を区別できずに、インパクトレンチの動作条件等を把握できない場合がある。
【０００５】
本発明は、上記問題点を解決するためになされたものであり、本発明が解決しようとする課題は、色覚障害者であっても使い易い電動工具等を提供することである。
【課題を解決するための手段】
【０００６】
上記した課題は、各請求項の発明によって解決される。
請求項１の発明は、電動工具又は工具用バッテリ又は充電器に使用される表示器であって、色覚障害者が視認可能な波長の光を発生させるＬＥＤを備えていることを特徴とする。
【０００７】
本発明によると、表示器に使用されるＬＥＤは、色覚障害者が視認可能な波長の光を発生するように構成されている。このため、色覚障害者であってもＬＥＤの点灯等により電動工具等の状態を視認できるようになり、電動工具等を取扱い易くなる。
【０００８】
請求項２の発明によると、ＬＥＤによって電動工具の通電状態を報知できるように構成されていることを特徴とする。
このため、色覚障害者が電動工具の通電状態を確認できるようになる。
請求項３の発明によると、ＬＥＤによって工具用バッテリの残容量が所定量よりも低下したことを報知できるように構成されていることを特徴とする。
このため、色覚障害者が工具用バッテリの残容量低下を把握できるようになる。
請求項４の発明によると、電動工具の起動スイッチがオンのままで、電源プラグがコンセントから抜かれ、再び、前記電源プラグがコンセントに差し込まれたことによる再起動禁止状態であることを、前記ＬＥＤによって報知できるように構成されていることを特徴とする。
このため、色覚障害者が前記電動工具の再起動禁止状態を確認できるようになる。
【０００９】
請求項５の発明によると、ＬＥＤによって電動工具の過負荷状態を報知できるように構成されていることを特徴とする。
このため、色覚障害者が電動工具の過負荷状態を把握できるようになる。
請求項６の発明によると、ＬＥＤによって前記電動工具のカーボンブラシの交換タイミングであることを報知できるように構成されていることを特徴とする。
このため、色覚障害者が電動工具のカーボンブラシの交換タイミングであることを把握できるようになる。
請求項７の発明によると、二個以上のＬＥＤを備えることを特徴とする。
【発明の効果】
【００１０】
本発明によると、ＬＥＤにより電動工具等の状態を視認できるため、色覚障害者が電動工具等を取扱い易くなる。
【図面の簡単な説明】
【００１１】
【図１】本発明の実施形態１に係る表示器を備える電動工具（ディスクグラインダ（差込みプラグ式））の斜視図である。
【図２】本発明の実施形態１の変更例に係る表示器を備える電動工具（ディスクグラインダ（バッテリ式））の斜視図である。
【図３】本実施形態に係る表示器に使用されるＬＥＤの発光色の波長とＣＩＥ色度図と第１色盲の混同色線とを表すグラフである。
【図４】本実施形態に係る表示器に使用されるＬＥＤの発光色の波長とＣＩＥ色度図と第２色盲の混同色線とを表すグラフである。
【図５】本実施形態に係る表示器に使用されるＬＥＤの発光色の波長とＣＩＥ色度図と第３色盲の混同色線とを表すグラフである。
【図６】本実施形態に係る変更例に係る表示器を備える電動工具（インパクトドライバ）の斜視図である。
【図７】図６のＶＩＩ矢視拡大図である。
【図８】本実施形態に係る変更例に係る表示器を備える充電器の斜視図である。
【図９】本実施形態に係る変更例に係る表示器を備える工具用バッテリの斜視図である。
【図１０】本実施形態に係る変更例に係る表示器を備える電動工具（ハンマードリル）の斜視図である。
【発明を実施するための形態】
【００１２】
（実施形態１）
以下、図１から図１０に基づいて、本発明の実施形態１に係る表示器の説明を行う。
＜表示器２０、及びディスクグラインダ１０の概要について＞
本実施形態に係る表示器２０は、図１に示すように、差し込みプラグ式のディスクグラインダ１０において使用される表示器である。ディスクグラインダ１０は、先端に設けられた円板状の研削砥石（ディスク（図示省略））を軸心回りに回転させて、そのディスクの回転運動によって被加工物の表面を研削する電動工具である。ディスクグラインダ１０は、前記ディスクを回転させるためのモータ、減速機構、及びモータ駆動用の電気回路等を備えており、前記モータ、減速機構等が筒状の工具ハウジング１２内に収納されている。また、工具ハウジング１２の後端部分には、ディスクグラインダ１０を把持する際に使用されるグリップ部１２ｈが設けられている。さらに、工具ハウジング１２の上面には、前記グリップ部１２ｈの前方位置に表示器２０を構成する緑色ＬＥＤと赤色ＬＥＤとが設けられている。
【００１３】
表示器２０の緑色ＬＥＤは、ディスクグラインダ１０の電源線（図示省略）の先端のプラグをコンセントに差込んだときに点灯する通電表示用のＬＥＤである。表示器２０の緑色ＬＥＤが点灯している状態では、ディスクグラインダ１０の起動スイッチ（図示省略）をオンすることで、ディスクグラインダ１０が駆動するようになる。また、前記起動スイッチをオフすることで、ディスクグラインダ１０が停止する。
しかし、ディスクグラインダ１０を停止させる場合、起動スイッチがオン状態でプラグをコンセントから引き抜く誤った使用が行われることがある。このような使い方をされた場合、再びプラグをコンセントに差込んだときにディスクグラインダ１０が動作することがないように、ディスクグラインダ１０の再起動が禁止される。表示器２０の赤色ＬＥＤはこのような再起動禁止を表示するＬＥＤであり、赤色を点滅させることで再起動が禁止状態であることを表示する。
【００１４】
＜表示器２０のＬＥＤについて＞
表示器２０の緑色ＬＥＤ、赤色ＬＥＤは、色覚障害者が色の差を区別できるような波長の光を発生させることができるように構成されている。
ここで、色覚障害者には、赤視物質の遺伝子に異変を生じた第１色覚障害（第１色盲）と、緑視物質の遺伝子に異変を生じた第２色覚障害（第２色盲）とが多い。また、色覚障害者の中には、まれに青視物質の遺伝子に異変を生じた第３色覚障害（第３色盲）がいる。
第１色盲と第２色盲の場合、緑から赤の波長領域で色の差を感じ難いという似たような症状がある。図３は、第１色盲（赤視物質の遺伝子に異変）の色覚障害者が同じ色と混同する色をＣＩＥｘｙ色度図上に複数の混同色線Ｌを利用して表している。また、図４は、第２色盲（緑視物質の遺伝子に異変）の色覚障害者が同じ色と混同する色をＣＩＥｘｙ色度図上に複数の混同色線Ｌを利用して表している。
例えば、色覚障害のない人では、違う色に見える黄色に近い緑（520nm〜）と赤（約660nm〜）とは同じ混同色線Ｌの近傍にあるため、色覚障害者では色の差を感じ難くなる。
なお、第３色盲（青視物質の遺伝子に異変）の場合、図５の混同色線Ｌに示すように、紫から緑の波長領域で色の差を感じ難くなる。しかし、緑から赤の波長領域では色の違いを感じ取ることができる。
【００１５】
このため、本実施形態に係る表示器２０では、赤色ＬＥＤとして、約640〜660nmの波長の光を発生させるＬＥＤが使用される。ここで、第１色盲（赤視物質の遺伝子に異変）の場合、660nmより大きな波長の光は暗く、黒に近い色に見えるため、波長を少し短くしてオレンジ寄りの明るい赤にすることで、第１色盲の人にも見やすくなる。
ここで、約640〜660nmの波長の光（赤色）は図３から図５のＣＩＥｘｙ色度図上で符号Ｒによって表される。
また、緑色ＬＥＤとして、約497〜約500nmの波長の光を発生させるＬＥＤが使用される。約497〜約500nmの波長の光は、青に近い短波長の緑であり、図３から図５のＣＩＥｘｙ色度図上で符号Ｇによって表される。このように、緑色ＬＥＤは青に近い短波長の緑を発生させるため、図３、図４に示すように、約640〜660nmの波長の赤色からは混同色線Ｌが離れており、色覚障害者が緑色ＬＥＤと赤色ＬＥＤとの色の差を感じられるようになる。
【００１６】
＜本実施形態に係る表示器２０の長所について＞
本実施形態に係る表示器２０によると、色覚障害者であってもＬＥＤの点灯等により電動工具（ディスクグラインダ１０）の状態、例えば、通電状態や再起動禁止状態を視認できるようになる。このため、色覚障害者であってもディスクグラインダ１０等を取扱い易くなる。
【００１７】
＜変更例１＞
ここで、本発明は上記実施形態に限定されるものではなく、本発明の要旨を逸脱しない範囲における変更が可能である。例えば、本実施形態では、図１に示すように、差込みプラグ式のディスクグラインダ１０の表示器２０について説明したが、図２に示すように、バッテリ式のディスクグラインダ１５の表示器２２について本発明を適用することも可能である。
即ち、バッテリ式のディスクグラインダ１５は、工具ハウジング１６の中央部分にグリップ部１６ｈが設けられており、そのグリップ部１６ｈの基端部側に工具用バッテリ５０が連結されるバッテリ連結部１６ｃが設けられている。また、工具ハウジング１６には、グリップ部１６ｈの前方上面に起動スイッチ１６ｓが設けられており、グリップ部１６ｈの前方左側面に表示器２２が設けられている。
そして、前記表示器２２には、再起動防止用のＬＥＤと過負荷表示用のＬＥＤが設けられている。再起動防止用のＬＥＤは、上記したように、起動スイッチ１６ｓがオンの状態で工具用バッテリ５０が接続されたときの再起動防止状態を表示する赤色ＬＥＤである。また、過負荷表示用のＬＥＤは、モータが過負荷状態になったときに点灯する赤色ＬＥＤであり、再起動防止用のＬＥＤと兼用される。前記赤色ＬＥＤとしては、上記した約640〜660nmの波長の光を発生させるＬＥＤが使用される。
【００１８】
＜変更例２＞
図６は、本発明をインパクトドライバ１８の表示器２４に適用した例を表している。
インパクトドライバ１８は、回転方向に打撃を加えながらネジ締めが可能なドライバであり、モータや減速機構等を収納する筒状のハウジング本体部１８ｍと、そのハウジング本体部１８ｍの下面から下方に突出するグリップ部１８ｇとを備えている。そして、前記グリップ部１８ｇの下端部に工具用バッテリ５０が連結されるバッテリ連結部１８ｂが設けられている。バッテリ連結部１８ｂは、グリップ部１８ｇに対して前後左右に拡開するように構成されており、そのバッテリ連結部１８ｂの前側上面に操作表示部１９が設けられている。
操作表示部１９には、図７に示すように、左右に打撃力切替スイッチ１９ｄとライトスイッチ１９ｒとが設けられており、両スイッチ１９ｄ，１９ｒ間に表示器２４が設けられている。
【００１９】
表示器２４には、インパクトドライバ１８の打撃力が弱、中、強の三段階に切替えられたことを表示する打撃力表示用の三個の赤色ＬＥＤ２４ａ，２４ｂ，２４ｃが設けられている。ここで、インパクトドライバ１８の打撃力はモータの回転数にほぼ比例する。このため、モータの回転数が低速に切替えられた場合には打撃力が弱となって赤色ＬＥＤ２４ａが点灯し、中速に切替えられた場合には打撃力が中となって二個の赤色ＬＥＤ２４ａ，２４ｂが点灯し、高速に切替えられた場合には打撃力が強となって三個の赤色ＬＥＤ２４ａ，２４ｂ，２４ｃが点灯するように構成されている。
また、表示器２４には、バッテリの残容量低下表示用の赤色ＬＥＤ２４ｆが設けられている。赤色ＬＥＤ２４ｆは、バッテリの残容量が予め決められた値よりも低下したときに点滅し、バッテリの残容量がほぼ零となった段階で点灯するように構成されている。前記赤色ＬＥＤ２４ａ，２４ｂ，２４ｃ，２４ｆとしては、上記した約640〜660nmの波長の光を発生させるＬＥＤが使用される。
【００２０】
＜変更例３＞
図８は、本発明を充電器３０の表示器３４に適用した例を表している。
充電器３０は、工具用バッテリ５０に内蔵された二次電池の充電を行なうための機器であり、ハウジング３１の右前上面に表示器３４が設けられている。
表示器３４は、赤色ＬＥＤ３４ａと緑色ＬＥＤ３４ｂと黄色ランプ３４ｃとから構成されている。そして、充電器３０の電源線のプラグ（図示省略）がコンセントに差し込まれた状態で緑色ＬＥＤ３４ｂが点滅するように構成されている。また、充電中（バッテリ容量約0〜80％）には赤色ＬＥＤ３４ａが点灯し、充填が進んでバッテリ容量約80〜100％）となったときに赤色ＬＥＤ３４ａと緑色ＬＥＤとが点灯するように構成されている。そして、充電が完了すると、赤色ＬＥＤ３４ａが消え、緑色ＬＥＤ３４ｂのみが点灯するようになる。
また、充電が不可能な場合には、赤色ＬＥＤ３４ａと緑色ＬＥＤ３４ｂとが点滅するようになる。さらに、充電器３０に接続された工具用バッテリ５０が高温の場合には、赤色ＬＥＤ３４ａが点滅するように構成されている。
また、オートメンテナンスの場合には、黄色ランプ３４ｃが点灯し、冷却システム等に異常が生じた場合には黄色ランプ３４ｃが点滅するようになる。
前記赤色ＬＥＤ３４ａとしては、上記した約640〜660nmの波長の光を発生させるＬＥＤが使用され、緑色ＬＥＤ３４ｂとしては、上記した約497〜500nmの波長の光を発生させるＬＥＤが使用される。
【００２１】
＜変更例４＞
図９は、本発明を工具用バッテリ５０の表示器５４に適用した例を表している。工具用バッテリ５０は、電動工具の電源であり、電動工具に連結可能に構成されている（図２、図６等参照）。また、工具用バッテリ５０は、図８に示すように、充電器３０に連結されることで、その充電器３０により内部の二次電池を充電できるように構成されている。
工具用バッテリ５０には、ハウジング５２の前面右側に表示器５４が設けられている。表示器５４は、バッテリの残容量を表示する四個の赤色ＬＥＤ５４ａ，５４ｂ，５４ｃ，５４ｄから構成されている。四個の赤色ＬＥＤ５４ａ，５４ｂ，５４ｃ，５４ｄは縦に並んでおり、満充電に近い状態で四個の赤色ＬＥＤ５４ａ，５４ｂ，５４ｃ，５４ｄが全て点灯する。また、工具用バッテリ５０の電力が使用されて、バッテリの残容量が徐々に減少すると、それにつれて上から順番に赤色ＬＥＤ５４ａ，５４ｂ，５４ｃ，５４ｄが消灯するようにように構成されている。そして、バッテリの残容量が残り少なくなると、最下部の赤色ＬＥＤ５４ｄが点滅するようになる。赤色ＬＥＤ５４ａ，５４ｂ，５４ｃ，５４ｄとしては、上記した約640〜660nmの波長の光を発生させるＬＥＤが使用される。
【００２２】
＜変更例５＞
図１０は、本発明を差し込みプラグ式のハンマードリル４０の表示器４５に適用した例を表している。ハンマードリル４０は、コンクリート等に孔を空けるためのドリルであり、駆動源として直流モータ（図示省略）が使用される。そして、前記直流モータ及び減速機等を収納するハウジング４１が、図１０に示すように、側面略逆Ｌ字形に形成されている。前記ハウジング４１の背面４１ｓには、平行に縦向きのグリップ部４３が設けられており、その背面４１ｓの左側に表示器４５が設けられている。
表示器４５には、緑色ＬＥＤ４５ａと赤色ＬＥＤ４５ｂが設けられている。
緑色ＬＥＤ４５ａは、ハンマードリル４０の電源線（図示省略）の先端に設けられたプラグをコンセントに差込んだときに点灯する通電表示用のＬＥＤである。
赤色ＬＥＤ４５ｂは、直流モータのカーボンブラシ（図示省略）が磨耗して交換時期になったことを報知するＬＥＤであり、前記ブラシが使用不能となる約8時間前に点滅するように構成されている。
前記赤色ＬＥＤ４５ｂとしては、上記した約640〜660nmの波長の光を発生させるＬＥＤが使用され、緑色ＬＥＤ４５ａとしては、上記した約497〜500nmの波長の光を発生させるＬＥＤが使用される。
ここで、本実施形態では、電動工具等の表示器２０，２２，２４，３４，５４，４５において緑色ＬＥＤ、赤色ＬＥＤを使用する例を示した。しかし、色覚障害者が前記緑色ＬＥＤ、赤色ＬＥＤと混同しないような青色ＬＥＤ等を使用することも可能である。
【符号の説明】
【００２３】
１０・・・・ディスクグラインダ（電動工具）
１５・・・・ディスクグラインダ（電動工具）
１８・・・・インパクトドライバ（電動工具）
２０・・・・表示器
２２・・・・表示器
２４・・・・表示器
２４ａ，２４ｂ，２４ｃ，２４ｆ・・・赤色ＬＥＤ
３０・・・・充電器
３４・・・・表示器
３４ａ・・・赤色ＬＥＤ
３４ｂ・・・緑色ＬＥＤ
４０・・・・ハンマードリル（電動工具）
４５・・・・表示器
４５ａ・・・緑色ＬＥＤ
４５ｂ・・・赤色ＬＥＤ
５０・・・・工具用バッテリ
５４・・・・表示器
５４ａ，５４ｂ，５４ｃ，５４ｄ・・・赤色ＬＥＤ
【図１】
2013226624.tif 000003
【図２】
2013226624.tif 000004
【図３】
2013226624.tif 000005
【図４】
2013226624.tif 000006
【図５】
2013226624.tif 000007
【図６】
2013226624.tif 000008
【図７】
2013226624.tif 000009
【図８】
2013226624.tif 000010
【図９】
2013226624.tif 000011
【図１０】
2013226624.tif 000012